(57)【要約】【課題】被洗浄物の部分的な汚れを落とすことができる超音波洗浄器を提供すること。【解決手段】超音波洗浄器１は、水を出す給水口１１が先端に形成され、水を貯える給水タンク１３及びこの給水タンク１３から給水口１１に水を送る給水ポンプ１４を有する第１アーム１０、第１アーム１０の基端に傾動可能に固定され、給水口１１に対向して水を受ける吸水口２１が先端に形成され、水を受ける吸水タンク２３及び吸水口２１から吸水タンク２３に水を送る吸水ポンプ２４を有する第２アーム２０を備え、第１及び第２アーム１０，２０の一方は、さらに、給水口１１及び吸水口２１の間に超音波を送る超音波源１２を有する。【選択図】図１
0003208224.tif 000002
【実用新案登録請求の範囲】
【請求項１】
超音波により被洗浄物の汚れを落とす超音波洗浄器であって、
水を出す給水口が先端に形成され、水を貯える給水タンク及び該給水タンクから前記給水口に水を送る給水ポンプを有する第１アームと、
前記第１アームの基端に傾動可能に固定され、前記給水口に対向して水を受ける吸水口が先端に形成され、水を受ける吸水タンク及び前記吸水口から前記吸水タンクに水を送る吸水ポンプを有する第２アームと、
を備え、
前記第１及び第２アームの一方は、前記給水口及び前記吸水口の間に超音波を送る超音波源を有することを特徴とする超音波洗浄器。
【請求項２】
前記第１アームは、前記給水タンク内の水を加熱するヒータを有することを特徴とする、請求項１に記載の超音波洗浄器。
【請求項３】
前記第１アーム及び前記第２アームの一方は、前記給水ポンプを作動させる給水ポンプ用スイッチと、前記吸水タンクを作動させる吸水タンク用スイッチと、前記超音波源を作動させる超音波源用スイッチと、前記ヒータを作動させるヒータ用スイッチと、のうちの少なくとも１つを有することを特徴とする、請求項２に記載の超音波洗浄器。
【請求項４】
前記給水タンクに接し前記ヒータを作動させるための電気を制御するサーモスタットを備え、
前記サーモスタットは、前記給水タンク内部の水温が５０〜６０℃以上の場合には電気を遮断することを特徴とする、請求項３に記載の超音波洗浄器。
【請求項５】
前記第２アームは、さらに、前記吸水口に向かって凹む皿状部材を有することを特徴とする、請求項１〜４のいずれか１項に記載の超音波洗浄器。
【請求項６】
前記第１及び第２アームは、基端から先端までの長さ１５〜２５ｃｍ及び長さ方向及び前記給水口と前記吸水口とが対向する方向のそれぞれに交差する方向の幅２〜５ｃｍ、
前記第１及び第２アームは、前記交差する方向に関する厚みの和２〜５ｃｍを有することを特徴とする、請求項１〜５のいずれか１項に記載の超音波洗浄器。
【考案の詳細な説明】
【技術分野】
【０００１】
本考案は、超音波により被洗浄物の汚れを落とす超音波洗浄器に関する。
【背景技術】
【０００２】
衣類等を洗濯する際に超音波を当てることで洗浄効果が高まることが知られている。特許文献１には、超音波を水中に発生する洗濯機が開示されている。また、特許文献２及び非特許文献１には、水につけた衣類等に超音波を照射する装置が開示されている。これらの装置では、超音波により落とした汚れを衣類等から離すために、衣類等の全体或いは汚れが付着した部分を含む広範な部分を水につける必要があり、着用したままで微小な汚れ（例えばラーメンのスープ１滴分）を落とすことや、汚れを落とした後ですぐに着用することが困難である。
【先行技術文献】
【特許文献】
【０００３】
【特許文献１】特開２０１５−１８１７４５号公報
【特許文献２】特開２００３−０４９３５４号公報
【非特許文献】
【０００４】
【非特許文献１】超音波ウォッシャー＜ＵＷ−Ａ１＞を発売  http://www.sharp.co.jp/corporate/news/160804a.html
【考案の概要】
【考案が解決しようとする課題】
【０００５】
本考案は、被洗浄物の部分的な汚れを落とすことができる超音波洗浄器を提供することを課題とする。
【課題を解決するための手段】
【０００６】
本考案の超音波洗浄器は、
超音波により被洗浄物の汚れを落とす超音波洗浄器であって、
水を出す給水口が先端に形成され、水を貯える給水タンク及び該給水タンクから前記給水口に水を送る給水ポンプを有する第１アームと、
前記第１アームの基端に傾動可能に固定され、前記給水口に対向して水を受ける吸水口が先端に形成され、水を受ける吸水タンク及び前記吸水口から前記吸水タンクに水を送る吸水ポンプを有する第２アームと、
を備え、
前記第１及び第２アームの一方は、前記給水口及び前記吸水口の間に超音波を送る超音波源を有することを特徴とする。
【０００７】
この特徴によれば、第２アームに対して第１アームを傾動して第２アームの吸水口と第１アームの給水口との間に被洗浄物を挟み、給水ポンプにより給水タンクから給水口に水を送り、給水口から水を出して被洗浄物に含ませ、超音波源により給水口及び吸水口の間に超音波を送って被洗浄物から汚れを落とし、吸水口により汚れを含んだ水を受け、その水を吸水ポンプにより吸水口から吸水タンクに送り、吸水タンクで受けることで、被洗浄物の汚れを落とすことができる。
【０００８】
本考案の超音波洗浄器は、
前記第１アームは、前記給水タンク内の水を加熱するヒータを有することを特徴とする。
【０００９】
この特徴によれば、ヒータにより、給水タンク内の水を被洗浄物の汚れを落とすのに好適な温度に加熱することができる。
【００１０】
本考案の超音波洗浄器は、
前記第１アーム及び前記第２アームの一方は、前記給水ポンプを作動させる給水ポンプ用スイッチと、前記吸水タンクを作動させる吸水タンク用スイッチと、前記超音波源を作動させる超音波源用スイッチと、前記ヒータを作動させるヒータ用スイッチと、のうちの少なくとも１つを有することを特徴とする。
【００１１】
この特徴によれば、給水ポンプ用スイッチにより給水ポンプを作動させることができ、吸水タンク用スイッチにより吸水タンクを作動させることができ、超音波源用スイッチにより超音波源を作動させることができ、ヒータ用スイッチによりヒータを作動させることができる。
【００１２】
本考案の超音波洗浄器は、
前記給水タンクに接し前記ヒータを作動させるための電気を制御するサーモスタットを備え、
前記サーモスタットは、前記給水タンク内部の水温が５０〜６０℃以上の場合には電気を遮断することを特徴とする。
【００１３】
この特徴によれば、水温を超音波洗浄に適した５０〜６０℃に保つことができる。
【００１４】
本考案の超音波洗浄器は、
前記第２アームは、さらに、前記吸水口に向かって凹む皿状部材を有することを特徴とする。
【００１５】
この特徴によれば、第１アームの給水口から出て被洗浄物に含まれた水を、吸水口に送ることができる。
【００１６】
本考案の超音波洗浄器は、
前記第１及び第２アームは、基端から先端までの長さ１５〜２５ｃｍ及び長さ方向及び前記給水口と前記吸水口とが対向する方向のそれぞれに交差する方向の幅２〜５ｃｍ、
前記第１及び第２アームは、前記交差する方向に関する厚みの和２〜５ｃｍを有することを特徴とする。
本考案の超音波洗浄器は、第２アームは、さらに、吸水口に向かって凹む皿状部材を有することを特徴とする。
【００１７】
この特徴によれば、片手で超音波洗浄器を操作することができる。
【考案の効果】
【００１８】
本考案の超音波洗浄器によれば、被洗浄物の部分的な汚れを、その部分のみに水を含ませて落とすことができる。
【図面の簡単な説明】
【００１９】
【図１】図１は、超音波洗浄器の構成を示す図である。
【図２】図２は、第１アームの上面構成を示す図である。
【図３】図３は、第２アームの上面構成を示す図である。
【考案を実施するための形態】
【００２０】
以下、本考案の一実施形態について説明する。
【００２１】
図１に、超音波洗浄器１の構成を示す。超音波洗浄器１は、超音波により衣類等の被洗浄物の部分的な汚れを落とす洗浄器であり、第１アーム１０、第２アーム２０、及び軸体３０を備える。
【００２２】
第１アーム１０は、洗浄用の水を被洗浄物に供給するとともに被洗浄物に含まれた水に向けて超音波を発する部分であり、筐体１０ａ、超音波源１２、給水タンク１３、ヒータ１３ｂ、給水ポンプ１４、水補充口１５及び流管１６、を有する。なお、これらの装置に作動用電力を供給するための電源を設けてもよいし、外部から電力を供給するための電源コードを設けてもよい。
【００２３】
筐体１０ａは、これを除く第１アーム１０の構成各部を収容する部材であり、図面上方に凸状に湾曲する上面及び上面の端部に接続する平面状の底面を有し、これらにより中空の内部が形成される。上面及び底面は、一軸方向（すなわち、図面横方向）を長手とし（例えば、長さ１５〜２５ｃｍ）、上面視において横方向を長手とする略楕円形状の先端、これに連なる横方向を長手とする矩形状の胴部、さらにこれに連なる半楕円形状の基端を有する。ここで、先端は、第２アーム２０の先端とともに被洗浄物を挟み込むように大きな幅（例えば、３〜５ｃｍ）を有し、胴部及び基端は第２アーム２０のそれらとともにユーザが片手で握持して操作可能な小さな幅（例えば、２〜４ｃｍ）及び厚み（例えば、第２アーム２０の厚みとの和２〜５ｃｍ）を有する。先端部近傍に、水を出す給水口１１が底面から図面下方に突出して形成されている。また、基端に、図面下方に張り出して、第２アーム２０に傾動可能に固定される段部１０ｃが形成されている。
【００２４】
図２に、第１アーム１０の上面構成を示す。筐体１０ａの上面にはパネル部１０ｂが設けられ、パネル部１０ｂ上に後述する超音波源１２を作動させるための超音波源用スイッチ１２ａ、ヒータ１３ｂを作動させるためのヒータ用スイッチ１３ａ、吸水ポンプ２４を作動させるための吸水タンク用スイッチ２４ａ、給水ポンプ１４を作動させるための給水ポンプ用スイッチ１４ａ、及び給水タンク１３に給水するための水補充口１５が設けられている。なお、パネル部１０ｂに、さらに、超音波源１２、ヒータ１３ｂ、吸水ポンプ２４、及び給水ポンプ１４の作動を示すランプを設けてもよい。
【００２５】
超音波源１２は、例えば数１０ｋＨｚの超音波を発生して、給水口１１から第２アーム２０の吸水口２１に向けてそれらの間に超音波を送る装置である。なお、超音波源１２は、第２アーム２０内に設けて、超音波を第２アーム２０の吸水口２１から給水口１１に向けてそれらの間に送ってもよい。
【００２６】
給水タンク１３は、洗浄用の水を貯えるタンクであり、パネル部１０ｂの水補充口１５を開けてこれを介して水を補充することができる。
【００２７】
ヒータ１３ｂは、給水タンク１３内の水を加熱する装置である。第１アーム１０内には前記給水タンク内部の水温を測定するサーモスタット１３ｃが設けられている。サーモスタット１３ｃは、水温が５５℃以上の場合にはヒータ１３ｂへの通電を遮断する。これにより給水タンク１３内の水の温度が５５℃前後に保たれ、被洗浄物の汚れを落とすのに好適な温度に維持することができる。なお、サーモスタット１３ｃの動作温度は５５℃でなく設計事項として定めてよいが、５０〜６０℃とすることが好ましい。
【００２８】
給水ポンプ１４は、流管１６を介して、給水タンク１３から給水口１１に水を送る装置である。本実施例では、給水口１１側の気圧を下げて水を吸引する空気式のものとするが、電動ポンプを用いてもよい。
【００２９】
流管１６は、給水タンク１３から給水口１１まで延びる管状部材であり、給水タンク１３内の水がその内を流れて給水口１１まで送られる。
【００３０】
第２アーム２０は、洗浄後の水を回収する部分であり、筐体２０ａ、吸水タンク２３、流管２６、及び吸水ポンプ２４を有する。なお、これらの装置の作動用電力は、第１アーム１０内の装置の作動用電力とともに内部電源から、又は電源コードを介して外部から供給することができる。
【００３１】
筐体２０ａは、これを除く第２アーム２０の構成各部を収容する部材であり、図面下方に凸状に湾曲する底面及び底面の端部に接続する平面状の上面を有し、これらにより中空の内部が形成される。底面及び上面の大きさ及び形状は、段部１０ｃが設けられていないことを除いて、第１アーム１０の上面及び底面に等しい。
【００３２】
図３に、第２アーム２０の上面構成を示す。なお、図の波線よりも右側には第１アーム１０を描き、第１アーム１０と第２アーム２０の位置関係を示した。先端部近傍に、給水口１１に対向して水を受ける吸水口２１が形成され、吸水口２１に向かって凹む皿状部材２２が固定されている。これにより、第１アーム１０の給水口１１から出た水を、また被洗浄物に含まれた水を受けて、外に漏らすことなく吸水口２１に送ることができる。
【００３３】
吸水タンク２３は、吸水口２１から洗浄後の水を受けるタンクである。第２アーム２０の排水口（不図示）から吸水タンク２３内の水を排出することができる。
【００３４】
吸水ポンプ２４は、流管２６を介して、吸水口２１から吸水タンク２３に水を送る装置である。
【００３５】
流管２６は、吸水口２１から吸水タンク２３まで延びる管状部材であり、吸水口２１から受けた水がその内を流れて吸水タンク２３まで送られる。
【００３６】
軸体３０は、第１及び第２アーム１０、２０の基端を互いに傾動可能に固定する部材である。軸体３０として、例えばヒンジを用いることができる。これにより、第１アーム１０の底面と第２アーム２０の上面とを互いに対向させ、近接してそれらの間に被洗浄物を挟み、また離間してそれらの間から被洗浄物を離すことができる。
【００３７】
超音波洗浄器１の使用方法について説明する。
【００３８】
使用に先立って、水補充口１５から給水タンク１３に洗浄用の水が補充されているものとする。また、ヒータ用スイッチ１３ａを押してヒータ１３ｂを作動して、給水タンク１３内の水を加熱しておいてもよい。
【００３９】
サーモスタット１３ｃによって、給水タンク１３内の水は適温に加熱される。ヒータ１３ｂの作動を示すランプが設けられている場合、加熱中はランプが点灯し、適温となるとランプが消灯するので、ユーザは、適温に加熱されたことを確実に知ることができる。
【００４０】
まず、被洗浄物を超音波洗浄器１にセットする。ユーザにより、汚れが付着した被洗浄物の部分を第２アーム２０の皿状部材２２の上に広げ、第１及び第２アーム１０，２０のそれぞれの胴部を握ることで、第２アーム２０に対して第１アーム１０を傾動して第２アーム２０の吸水口２１及び皿状部材２２と第１アーム１０の給水口１１との間に被洗浄物を挟み込む。
【００４１】
次に、ユーザにより給水ポンプ用スイッチ１４ａを押して給水ポンプ１４を作動させて、給水タンク１３から給水口１１に水を送り、給水口１１から水を出して被洗浄物に含ませる。水は、被洗浄物のうち給水口１１の真下の狭い部分のみに含まれる。
【００４２】
次に、ユーザにより超音波源用スイッチ１２ａを押して超音波源１２を作動させて、給水口１１及び吸水口２１の間に超音波を送って被洗浄物に当てる。超音波により被洗浄物を振動することにより、被洗浄物に付着した部分的な汚れが落ちる。その汚れを含んだ水は吸水口２１により受けることとなる。
【００４３】
次に、ユーザにより吸水タンク用スイッチ２４ａを押して吸水ポンプ２４を作動させて、吸水口２１により受けた水を吸水タンク２３に送り、吸水タンク２３に溜める。給水と吸水の間の時間において水がその表面張力により被洗浄物内で拡散するが、短時間であるので皿状部材２２の範囲に留まり、全てを吸水口２１により受けることができる。なお、吸水タンク２３に溜められた水は、適宜、排水口（不図示）を介して排出する。
【００４４】
最後に、第１及び第２アーム１０，２０を離間して、それらの間から被洗浄物を取り出す。以上により、被洗浄物の部分的な汚れを、その部分のみに水を含ませて落とすことができる。
【００４５】
以上詳細に説明したように、本実施形態に係る超音波洗浄器１は、水を出す給水口１１が先端に形成され、水を貯える給水タンク１３及びこの給水タンク１３から給水口１１に水を送る給水ポンプ１４を有する第１アーム１０、第１アーム１０の基端に傾動可能に固定され、給水口１１に対向して水を受ける吸水口２１が先端に形成され、水を受ける吸水タンク２３及び吸水口２１から吸水タンク２３に水を送る吸水ポンプ２４を有する第２アーム２０を備え、第１及び第２アーム１０，２０の一方は、さらに、給水口１１及び吸水口２１の間に超音波を送る超音波源１２を有する。第２アーム２０に対して第１アーム１０を傾動して第２アーム２０の吸水口２１と第１アーム１０の給水口１１との間に被洗浄物を挟み、給水ポンプ１４により給水タンク１３から給水口１１に水を送り、給水口１１から水を出して被洗浄物に含ませ、超音波源１２により給水口１１及び吸水口２１の間に超音波を送って被洗浄物から汚れを落とし、吸水口２１により汚れを含んだ水を受け、その水を吸水ポンプ２４により吸水口２１から吸水タンク２３に送り、吸水タンク２３で受けることで、被洗浄物の汚れを、汚れの部分のみに水を含ませて落とすことができる。
【産業上の利用可能性】
【００４６】
本考案の超音波洗浄器は、被洗浄物の部分的な汚れを、その部分のみに水を含ませて落とすことができる。また、外出時に携帯することができる程度に小型化できる。衣服を着用したままで汚れを落とすことや、脱いで汚れを落とした後にすぐに着用することができるので、多くの個人による利用が考えられる。
【符号の説明】
【００４７】
１    超音波洗浄器
１０    アーム
１０ａ  筐体
１０ｂ  パネル部
１０ｃ  段部
１１    給水口
１２    超音波源
１２ａ  超音波源用スイッチ
１３    給水タンク
１３ａ  ヒータ用スイッチ
１３ｂ  ヒータ
１３ｃ  サーモスタット
１４    給水ポンプ
１４ａ  給水ポンプ用スイッチ
１５    水補充口
１６    流管
２０    アーム
２０ａ  筐体
２１    吸水口
２２    皿状部材
２３    吸水タンク
２４    吸水ポンプ
２４ａ  吸水タンク用スイッチ
２６    流管
３０    軸体
【図１】
0003208224.tif 000003
【図２】
0003208224.tif 000004
【図３】
0003208224.tif 000005